(57)【要約】【課題】ラックに多数段にわたって収納された電子機器等に接続する各種ケーブルを少ない手間、少ない時間で接続することができ、接続作業の効率化および利便性を図れるようなる電子機器用ラックを提供する。【解決手段】サーバ等の電子機器２０〜２４を多数段にわたって収納するラック本体１１を備えた電子機器用ラック１０であり、上記ラック本体１１に第１および第２の背面扉１５Ａ，１５Ｂからなる観音開き式の背面扉１５を設けた構成とする。この背面扉１５には、多数の電子機器２０〜２４に予め装備された各種接続端子２０Ａ,２０Ｂ等を介して外部から電力および信号を送り込むための電源ケーブル３０Ａおよび通信用ケーブル３０Ｂ等が設けられている。これらの電源ケーブル３０Ａおよび通信用ケーブル３０Ｂ等は、予め工場等で背面扉１５に装備されている。【選択図】図１
2013235894.tif 000002
【特許請求の範囲】
【請求項１】
サーバ等の電子機器を多数段にわたって収納するラック本体を備えた電子機器用ラックであって、
前記ラック本体に背面扉を設けると共に当該背面扉に、
前記多数の電子機器に予め装備された各種接続端子を介して外部から電力および信号を送り込むための電源ケーブルおよび通信用ケーブルを設けたことを特徴とする電子機器用ラック。
【請求項２】
請求項１に記載した電子機器用ラックにおいて、
前記背面扉を第１および第２の背面扉からなる観音開き式の扉としたことを特徴とする電子機器用ラック。
【請求項３】
請求項１または請求項２に記載した電子機器用ラックにおいて、
前記第１の背面扉および第２の背面扉を、前記多数段にわたって収納された電子機器のうちの予め設定された段数に対応する大きさの扉とし、
前記第１の背面扉および第２の背面扉を上下に分かれた少なくとも２組設けたことを特徴とする電子機器用ラック。
【請求項４】
請求項２または請求項３に記載した電子機器用ラックにおいて、
前記各組の第１の背面扉または第２の背面扉のうちいずれか一方の背面扉の裏面に、前記電源ケーブルを構成する多数の電源プラグと前記通信ケーブルを構成する多数のコネクタ基板とを上下方向に一定間隔で装備し、これらの各電源プラグおよびコネクタ基板を前記各電子機器に設けられた電源ソケットおよびコネクタとにそれぞれ対応させて配置したことを特徴とする電子機器用ラック。
【請求項５】
請求項４に記載した電子機器用ラックにおいて、
前記各組のいずれか一方の背面扉の表面に、前記多数の電源プラグに対応して設けられると共に前記電源ケーブルを構成しかつ前記電源プラグに電気を供給するバスバーを設けたことを特徴とする電子機器用ラック。
【請求項６】
請求項５に記載した電子機器用ラックにおいて、
前記各組のいずれか一方の背面扉に設けられた前記バスバーと、前記一方の背面扉の上方または下方に配置されている他の一方の背面扉にそれぞれ設けられた他のバスバーとは、前記それぞれの一方の背面扉を閉じたとき相互に連結し合いかつ通電可能となっていることを特徴とする電子機器用ラック。
【請求項７】
請求項５または請求項６に記載した電子機器用ラックにおいて、
前記ラック本体の底面部に基部バスバーを固着すると共に、この基部バスバーを前記ラック本体の最下段に配置されている背面扉の前記いずれか一方の背面扉に設けられている前記バスバーと連結可能に構成し、前記基部バスバーに当該基部バスバーに外部電源から電気を供給する接続電源ケーブルを設けたことを特徴とする電子機器用ラック。
【請求項８】
請求項４ないし請求項７のいずれか１に記載した電子機器用ラックにおいて、
前記電源プラグと前記電源ソケットとの係合を、前記いずれか一方の背面扉と一体になって回動移動する前記電源プラグに対して、前記電源ソケットに、少なくとも前記電源プラグの突出接続端子の回動方向先端の側面部および先端部を当接可能に受止める端子受部を形成したことを特徴とする電子機器用ラック。
【発明の詳細な説明】
【技術分野】
【０００１】
本発明は、電子機器用ラックに係り、詳しくは、サーバ等の電子機器が多数収容される電子機器用ラックに関する。
【背景技術】
【０００２】
一般的に、電子機器用ラックに多数のサーバ等の電子機器を収容する場合、それらの電子機器を収容してからそれぞれの電子機器の背面等に、電源ケーブルやＬＡＮ等の通信用接続ケーブルを一本ずつ取り付けることが行われている。
【０００３】
以上のように、サーバ等の電子機器に各種のケーブルを接続する場合、それぞれの電子機器の背面において行われているが、接続の手間等が多く掛かる等の問題がある。
そのため、ケーブルの接続を簡単化したものとして、扉の裏側に配線設備を設けた遊技機が知られている（特許文献１参照）。
この特許文献１に開示された遊技機では、パチンコ機の木製外枠に対してガラス扉が開閉自在に設けられており、その木製外枠の前枠にメス型コネクタが設けられ、ガラス扉にオス型コネクタが設けられている。
それにより、ガラス扉を開閉すると、メス型コネクタとオス型コネクタとが接続状態あるいは非続状態に切り替えられるようになっている。
【０００４】
また、カバリングホルダをケーシングに被せるだけで、通電させるように構成された技術が知られている（特許文献２参照）。
この特許文献２に開示された電気機器の電池コンパートメントに挿入するための電池箱又は蓄電池では、一方のカバリングホルダに過負荷保護ヒューズが設けられており、これに対して、他方のケーシングに過負荷保護ヒューズに対応する第１および第２の接点ばね等が設けられ、カバリングホルダをケーシングに被せるだけで、通電できるような構成となっている。
【先行技術文献】
【特許文献】
【０００５】
【特許文献１】特開２００７−３２５６８３号公報
【特許文献２】特公昭５９−１３９５５４号公報
【発明の概要】
【発明が解決しようとする課題】
【０００６】
しかしながら、従来の電子機器用ラックでは、当該電子機器用ラックに多数段にわたってサーバ等の電子機器が収容されており、それらの電子機器毎にＬＡＮなどの接続ケーブルを１本ずつ接続しなければならない。
そのため、接続ケーブル数が増えるので、接続作業に多くの手間や時間がかかり、また、ケーブルの取り回しも難しくなる等、作業が煩雑となり、その結果、作業効率が悪いという問題が生じている。
【０００７】
また、前記特許文献１に開示された遊技機では、一つのガラス扉の裏面にオス型コネクタが、木製外枠の前枠にメス型コネクタがそれぞれ設けられているが、この構成では、多数段に収納されたサーバ等の電子機器等に各種ケーブルを接続することは困難である。
【０００８】
さらに、前記特許文献２に開示された電気機器の電池コンパートメントに挿入するための電池箱又は蓄電池の構成でも、多数段に収納されたサーバ等の電子機器等に各種ケーブルを接続することは困難である。
【０００９】
本発明の目的は、上述した課題を解決するために、ラックに多数段にわたって収納された電子機器等に接続する各種ケーブルを少ない手間、少ない時間で接続することができ、ケーブル接続作業の効率化および利便性を図れるようなる電子機器用ラックを提供することである。
【課題を解決するための手段】
【００１０】
前記目的を達成するために、本願発明の電子機器用ラックは、サーバ等の電子機器を多数段にわたって収納するラック本体を備えた電子機器用ラックであって、
前記ラック本体に背面扉を設けると共に当該背面扉に、
前記多数の電子機器に予め装備された各種接続端子を介して外部から電力および信号を送り込むための電源ケーブルおよび通信用ケーブルを設けたことを特徴とする。
【発明の効果】
【００１１】
本願発明の電子機器用ラックによれば、ラック本体に設けられた背面扉に電源ケーブルおよび通信用ケーブルが設けられており、これらの電源ケーブルおよび通信用ケーブルは、多数の電子機器に予め装備された各種接続端子に電力および信号を送り込めるようになっているので、背面扉を閉じるだけのワンタッチの動作で、サーバのケーブル接続を行うことができる。その結果、ラックに多数段にわたって収納された電子機器等に接続する各種ケーブルを少ない手間、少ない時間で接続することができ、ケーブル接続作業の効率化および利便性を図ることができる。
【図面の簡単な説明】
【００１２】
【図１】本発明に係る電子機器用ラックの一実施形態を示す全体前面斜視図である。
【図２】図１のラックに多数のサーバ等の電子機器を収容した電子機器用ラックの一部を示す背面斜視図である。
【図３】前記実施形態の電子機器用ラックに収容された電子機器と電源ケーブルを構成する連結式バスバーとを示す概略側断面図である。
【図４】前記実施形態の観音開き扉に装備された電源プラグと電子機器に装備された電源ソケットとの接続構造を表し、図４(Ａ)は電源プラグと電源ソケットとが接合される前の状態の平面模式図、図４(Ｂ)は電源プラグと電源ソケットとが接合された状態の平面模式図である。
【図５】図４(Ａ)から図４(Ｂ)に至る途中の状態を示す模式図で、電源プラグと電源ソケットとが接合された状態が図４(Ｂ)のＶ−Ｖ線となる縦断面図である。
【図６】前記観音開き扉に装備された電源プラグと電子機器に装備された電源ソケットとの接続構造の変形形態を示す概略平面図である。
【発明を実施するための形態】
【００１３】
以下に、図１〜図３を参照して、本発明に係る電子機器用ラック（以下、単にラックと言う）１０の一実施形態を詳細に説明する。
【００１４】
図１はラック１０の全体前面斜視図であり、図２はラック１０に収容されるサーバ等の電子機器２０を収容した時の背面斜視図であり、図３はラック１０に収容された電子機器２０と電源ケーブルを構成する連結式バスバー４０とを示す概略側断面図である。
ここで、本実施形態のラック１０は、例えば１９インチタイプのラックである。
【００１５】
前記実施形態のラック１０は、サーバ等の各種電子機器を収納する従来の電子機器用ラックを改良したものであり、その電子機器用ラックにおける各種ケーブルの接続作業（ケーブリング）の効率化および利便性を向上させる仕組みを備えたものである。
すなわち、図１に示すように、ラック１０は、サーバ等の電子機器２０〜２４を多数段にわたって収納するラック本体１１を備えたものであり、このラック本体１１に背面扉１５を設けると共に当該背面扉１５に、予め、多数の電子機器２０〜２４に予め装備された各種接続端子２０Ａ〜２４Ａ、および２０Ｂ〜２４Ｂを介して、外部から電力および信号を送り込むための電源ケーブル３０Ａ〜３４Ａおよび通信用ケーブル３０Ｂ〜３４Ｂが設けられているものである。
【００１６】
ラック本体１１の前面には、例えば観音開き形式の前面扉１２が設けられている。この前面扉１２は、第１の前面扉１２Ａと第２の前面扉１２Ｂとで構成され、これらの第１，第２の前面扉１２Ａ，１２Ｂは、ラック本体１１の全面を開閉自在に被うような大きさに形成されている。
【００１７】
上記ラック本体１１は、上下方向に、例えば、それぞれ４個ずつの電子機器２０〜２４を収納する第１枠部１３Ａ、第２枠部１３Ｂ、第３枠部１３Ｃ、第４枠部１３Ｄの４つの段枠１３に区分けされている。
そして、これらの各枠部１３Ａ〜１３Ｄ内には、それぞれ、図２に示すような状態で、前記第１の電子機器２０、第２の電子機器２１、第３の電子機器２２、第４の電子機器２３、および第５の電子機器２４が収納されている。
また、各枠部１３Ａ等の内部には、多数の電子機器２０〜２４を個別に収納する、例えばセル状の室（図略）が設けられており、そのセル状の室内部には第１の電子機器２０等を所定位置に確実に保持できるような保持機構（図略）が設けられている。
【００１８】
図２に示すように、ラック本体１１の背面にも、観音開き形式の背面扉１５が設けられている。
すなわち、この背面扉１５は、第１および第２の背面扉１５Ａ，１５Ｂで構成されており、図略のヒンジを介して左右方向に開閉自在となっている。そして、これらの背面扉１５Ａ，１５Ｂの表面には、当該各背面扉１５Ａ，１５Ｂの開閉を容易にするために取っ手（図略）が設けられている。
【００１９】
図２に示す背面扉１５は、前記第３枠部１３Ｃに対応するようになっているものであり、この第３枠部１３Ｃ内には、前記第１の電子機器２０、第２の電子機器２１、第３の電子機器２２、第４の電子機器２３、および第５の電子機器２４が上下方向に５段にわたって収納されている。
ここで、上記第３枠部１３Ｃと上下方向に隣接する第２枠部１３Ｂおよび第４枠部１３Ｄにおいても、上記と同じように、第１〜第５の各電子機器２０〜２４が収納されており、それぞれに対応する第１および第２の背面扉１５Ａ，１５Ｂからなる背面扉１５が開閉自在に設けられている。
つまり、背面扉１５を構成する１組の第１および第２の背面扉１５Ａ，１５Ｂは、上下方向に少なくとも２組（実施形態では４組）配置されている。
【００２０】
第３枠部１３Ｃにおける第１〜第５の各電子機器２０〜２４の背面には、予め工場等で、それぞれ電源ソケット２０Ａ，２１Ａ，２２Ａ，２３Ａ，２４Ａが装備されている。これらの電源ソケット２０Ａ等は、第３枠部１３Ｃ内に収納されたとき、前記第１の背面扉１５Ａの幅方向一端部側、つまりヒンジ（図略）側寄りに配置されている。
【００２１】
また、各電子機器２０〜２４の背面には、予め工場等で、それぞれＬＡＮコネクタ等の、例えばメス型コネクタ２０Ｂ，２１Ｂ，２２Ｂ，２３Ｂ，２４Ｂが装備されている。これらの各メス型コネクタ２０Ｂ等は、各電子機器２０〜２４の電源ソケット２０Ａ等から離れた位置で、かつ下部側に配置されている。そして、各電子機器２０〜２４の幅方向に２分割された状態で装備されている。
【００２２】
これに対して、前述のように、ラック１０の背面には、前述のように、上下方向に４組からなる前記第１および第２の背面扉１５Ａ，１５Ｂが左右方向に開閉自在に設けられ、これらの背面扉１５Ａ，１５Ｂは、それらを閉じたとき、５段にわたる各電子機器２０〜２４の背面の全体を被える大きさに形成されている。
【００２３】
図２に示すように、第１の背面扉１５Ａの裏面において、幅方向の一方の端部側（図略のヒンジ寄り）には、電源ケーブルを構成すると共に、上下方向に所定間隔で配置された５列の電源プラグダ３０Ａ，３１Ａ，３２Ａ，３３Ａ，３４Ａが装備されている。
これらの電源プラグダ３０Ａ等は、前記各電子機器２０〜２４に装備されている前記電源ソケット２０Ａ，２１Ａ，２２Ａ，２３Ａ，２４Ａにそれぞれ対応しており、各電源ソケット２０Ａ等に電力を送り込むためのものである。
そして、第１の背面扉１５Ａを閉じたとき、各電源プラグダ３０Ａ等と電源ソケット２０Ａ等とが嵌り込んで接続され、これにより、互いに電気が通じ合うようになっている。
そして、これらの電源プラグダ３０Ａ等は、予め工場等で装備されている。
【００２４】
ここで、図４（Ａ），（Ｂ）および図５の模式図に基づいて、電源プラグダ３０Ａと電源ソケット２０Ａとの接続構造を説明する。
第１の背面扉１５Ａの裏面に予め向上等で装備されている電源プラグダ３０Ａ等には、例えば３本の接続端子３５が設けられている。各接続端子３５は、回動方向先端面３５Ａ（図５参照）と、この回動方向先端面３５Ａに直交する２つの側面３５Ｂと、突出先端面３５Ｃとを有する略四角柱形状となっている。
なお、図４（Ａ）に示す中心黒丸の符号Ｃは、第１の開閉扉１５Ａが、紙面直交方向、つまり符号Ｃの方向に回動するものであることを表すものである。
【００２５】
これに対して、電子機器２０のメス型コネクタ２０Ａ等の背面には、上記３本の接続端子３５に対応する３個の端子受部材２５が設けられている。
各端子受部材２５は、上記３本の接続端子３５の回動方向先端面３５Ａと当接する先端受面２５Ａと、上記２つの側面３５Ｂと当接する側面受面２５Ｂと、上記突出先端面３５Ｃと当接する先端受面２５Ｃとを有する平面角Ｃ字状形状となっている。
以上のように、電源プラグダ３０Ａ等の３本の接続端子３５とメス型コネクタ２０Ａ等の端子受部材２５とは、それぞれ４箇所で当接するようになっている。
ここで、各端子受部材２５は、例えばバネ性を有する部材で形成されている。
なお、図３には、電源プラグダ３０Ａ等と電源ソケット２０Ａ等とは省略されている。
【００２６】
また、図２、図３に示すように、第１の背面扉１５Ａの裏面には、通信ケーブルを構成すると共に、上下方向に５列に配置された、例えばオス型コネクタ基板３０Ｂ，３１Ｂ，３２Ｂ，３３Ｂ，３４Ｂが装備されている。これらの各オス型コネクタ基板３０Ｂ等は、扉１１の開閉先端側の端部から電源プラグ３０Ａ，３１Ａ，３２Ａ，３３Ａ，３４Ａの近接位置まで延びた長さに形成されている。
【００２７】
各オス型コネクタ基板３０Ｂ，３１Ｂ，３２Ｂ，３３Ｂ，３４Ｂは、前記各電子機器２０〜２４のメス型コネクタ２０Ｂ，２１Ｂ，２２Ｂ，２３Ｂ，２４Ｂにそれぞれ対応しており、第１の背面扉１５Ａを閉じたとき、各オス型コネクタ基板３０Ｂ等とメス型コネクタ２０Ｂ等とが嵌り込んで接続されるようになっている。
ここで、第１の背面扉１５Ａに装備されたオス型コネクタ基板３０Ｂ等は、電子機器２０等に装備されたメス型コネクタ２０Ｂ等の２分割された一方に接続されるようになっている。
【００２８】
前記第２の背面扉１５Ｂの裏面には、上記各オス型コネクタ基板３０Ｂ，３１Ｂ，３２Ｂ，３３Ｂ，３４Ｂと同様のオス型コネクタ基板（図略）が装備されており、この第２の背面扉１５Ｂに装備されたオス型コネクタ基板は、電子機器２０等に装備されたメス型コネクタ２０Ｂ等の２分割された他方に接続されるようになっている。
【００２９】
前記他方の背面扉１２の裏面には、上記第1の背面扉１５Ａに設けられているコネクタ基板１２Ａ〜１２Ｅと同様のコネクタ基板が設けられている。そして、扉１２の各コネクタ基板は、前記各電子機器２０Ａ〜２０Ｅのコネクタ２２Ａ〜２２Ｅにおいて一方側のコネクタ２２Ａ〜２２Ｅにそれぞれ対応し、かつ接続されるようになっている。
そして、第１の背面扉１５Ａ、第２の背面扉１５Ｂに設けられたオス型コネクタ基板３０Ｂ等も、予め工場等で装備されている。
【００３０】
図２，３に示すように、第1の背面扉１５Ａの表面には、電源ケーブルを構成する連結式バスバー４０が設けられている。
ここで、一般に電源供給ラインに替わって使用される細長い棒状の金属がバスバーと言われており、断面細長い長方形のものが多く使用されている。
【００３１】
バスバー４０は、第１のバスバー４０Ａ、第２のバスバー４０Ｂ、第３のバスバー４０Ｃ、第４のバスバー（図略）で構成されている。
第１のバスバー４０Ａは、前記第４枠部１３Ｄに設けられた背面扉１５の第１の背面扉１５Ａに配置され、第２のバスバー４０Ｂは、第４枠部１３Ｄの上方の第３枠部１３Ｃにおける背面扉１５の第１の背面扉１５Ａに配置されている。また、第３のバスバー４０Ｃは第２枠部１３Ｂ、第４のバスバー（図略）は第１枠部１３Ａにおける背面扉１５の第１の背面扉１５Ａに、それぞれ配置されている。
そして、上下方向に連続する４個の第１の背面扉１５Ａを全部閉じたとき、各バスバー４０Ａ，４０Ｂ，４０Ｃ等が連結され、通電可能とされている。
【００３２】
各バスバー４０Ａ，４０Ｂ，４０Ｃ等は、各背面扉１５の第1の背面扉１５Ａと略同一の長さに形成されている。
また、バスバー４０Ａ等の上端部には、当該バスバー４０の上方に配置されている別の組の第1の背面扉１５Ａに設けられているバスバー４０Ｂと接続するための接続部４０Ｍが設けられている。この接続部４０Ｍは、所定の間隔をあけて配置された２枚のプレート状に形成されており、これらの接続部４０Ｍは、第1の背面扉１５Ａの表面に対して直交して配置されている。
【００３３】
これに対して、第1のバスバー４０Ａ、第２のバスバー４０Ｂ等の下端部には、当該第1のバスバー４０Ａの下方に配置されている第２のバスバー４０Ｂ、第２のバスバー４０Ｂの下方に配置されている基部バスバー４１（次に述べる）の接続部４０Ｍと当接可能な下部接続部４０Ｎが設けられている。
【００３４】
ラック本体１１の底面枠１１Ａには、図２，３に示すように、基部バスバー４１が設けられている。この基部バスバー４１は、上部に連結される第１のバスバー４０Ａ以降に電力を供給するようになっている。
基部バスバー４１には外部電源に接続する接続電源ケーブル４２が接続されている。また、基部バスバー４１の上端部には、上方の第１のバスバー４０Ａに接続するための前記接続部４０Ｍが設けられている。
【００３５】
ここで、図２に示すように、例えば第２のバスバー４０Ｂと第１のバスバー４０Ａ、第２のバスバー４０Ｂと第３のバスバー４０Ｃとを連結する際、それぞれのバスバー４０Ｂ等が設けられた第１の背面扉１５Ａを閉じるとき、第２のバスバー４０Ｂおよび第１のバスバー４０Ａの上端部にそれぞれ設けられた接続部４０Ｍが回動可能なように、第１の背面扉１５Ａの裏面、かつ下端部に切欠き部１５Ｋが形成されている。
また、第３のバスバー４０Ｃの表面かつ下部には、第２のバスバー４０Ｂの接続部４０Ｍが回動可能なように、切欠き部１５Ｋが形成されている。
【００３６】
そのため、第1の背面扉１５Ａを閉じるとき、その背面扉１５Ａ回動と共に回動する第２のバスバー４０Ｂの接続部４０Ｍも回動するが、この接続部４０Ｍは上記切欠き部１５Ｋを挿通して回動し、第1の背面扉１５Ａが完全に閉じられたとき、前記下部接続部４０Ｎと当接するようになっている。
そして、接続部４０Ｍと下部接続部４０Ｎとが当接したとき、両バスバー４０Ａ，４０Ｂは電気的に接続するようになっている。
また、接続部４０Ｍと下部接続部４０Ｎとの当接状態を確実に保持することができるように、互いに上下方向に隣り合うバスバー４０Ａ，４０Ｂ等の上記接続部近傍には、接続部保持機構（図略）が設けられている。
【００３７】
図２に示すように、第1および第２の背面扉１５Ａ，１５Ｂの表面には、それぞれ上下方向に５列のケーブル群４５が設けられている。これらのケーブル群４５は、それぞれ前記オス型コネクタ３０Ｂ，３１Ｂ，３２Ｂ，３３Ｂ，３４Ｂに対応し、かつそれらと接続されるようになっている。
【００３８】
次に、図２，３を参照して前記実施形態の電子機器用ラック１０の作用を説明する。
ラック本体１１の所定の枠部１３Ａ等内に収納された各電子機器２０〜２４の電源ソケット２０Ａ，２１Ａ，２２Ａ，２３Ａ，２４Ａおよびメス型コネクタ２０Ｂ，２１Ｂ，２２Ｂ，２３Ｂ，２４Ｂと、第1の背面扉１５Ａに装備された電源プラグ３０Ａ，３１Ａ，３２Ａ，３３Ａ，３４Ａ、および第1の背面扉１５Ａと第２の背面扉１５Ｂに装備されたオス型コネクタ３０Ｂ，３１Ｂ，３２Ｂ，３３Ｂ，３４Ｂとを接続するには、図３に示すように行うことができる。
【００３９】
すなわち、図３に示すように、第1の背面扉１５Ａと第２の背面扉１５Ｂとを閉じておいて、ラック本体１１の前面側から第１の電子機器２０を、矢印Ａ方向に沿って、当該第１の電子機器２０用の前記セル状部（図略）に挿入する。
第１の電子機器２０をさらに押し込んで行くと、当該第１の電子機器２０の前記メス型コネクタ２０Ａが、第１の背面扉１５Ａに予め装備されているオス型コネクタ３０Ａに嵌り込み、これにより、両コネクタ２０Ａ，３０Ａが通電するようになる。
第２の電子機器２１、および第３，４，５の電子機器２２，２３，２４も、上記と同様の手順により、第１の背面扉１５Ａに予め装備されているオス型コネクタ３１Ａ，３２Ａ，３３Ａ，３４Ａに、それぞれ嵌り込み、これにより、両コネクタ２１Ａ，３１Ａ等が通電するようになる。
【００４０】
これに対して、まず、各電子機器２０〜２４を前記セル状室に収容しかつ保持させた状態としておいて、第１の背面扉１５Ａおよび第２の背面扉１５Ｂを閉じ、これにより、オス型コネクタ３０Ａ等とメス型コネクタ２０Ａ等とを係合させるようにしてもよい。
【００４１】
以上のような構成の電子機器用ラック１０によれば、次のような効果が得られる。
（１）ラック本体１１に設けられた背面扉１５に電源ケーブル３０Ａおよび通信用ケーブル３０Ｂ等が設けられており、これらの電源ケーブル３０Ａおよび通信用ケーブル３０Ｂは、多数の電子機器２０〜２４に予め装備された各種接続端子２０Ａ，２０Ｂ等に電力および信号を送り込めるようになっているので、背面扉１５を閉じるだけのワンタッチの動作で、サーバのケーブル接続を行うことができる。その結果、ラック本体１１に多数段にわたって収納された電子機器２０〜２４等に接続する各種ケーブルを少ない手間、少ない時間で接続することができ、ケーブル接続作業の効率化および利便性を図ることができる。
【００４２】
（２）ラック本体１１に設けられた背面扉１５が観音開き式の扉となっているので、例えば１枚の片開き式の背面扉が設けられた場合に比べて、開くスペースが少なくてすむので、ラック１０の背面に広いスペースがない場合でも、ラック１０を設置することができる。
【００４３】
（３）１組の背面扉１５が第1の背面扉１５Ａと第２の背面扉１５Ｂとで構成され、これらの第1および第２の背面扉１５Ａ，１５Ｂの大きさが、上下方向に５段にわたって収容された第1〜第４の電子機器２０〜２４を被える大きさとなっており、このような大きさの背面扉１５が４組設けられているので、１組の背面扉１５の大きさを小さくすることができ、扉の小型化を図ることができると共に、扉の開閉動作も容易にできる。
【００４４】
（４）ラック本体１１の背面に設けられた４組の背面扉１５の第1の背面扉１５Ａにそれぞれ連結式のバスバー４０Ａ，４０Ｂ，４０Ｃ等が設けられ、これらの各バスバー４０Ａ，４０Ｂ，４０Ｃ等により、電源プラグ３０Ａ等に電力を送り込むことができるので、電源ケーブル数を削減でき、利便性が向上する。また、多くの電源ケーブルを必要とした場合の面倒なケーブルの取り回しも不要となる。
【００４５】
（５）バスバー４０Ａ，４０Ｂ，４０Ｃ等に、多数の電子機器２０〜２４をワンタッチで直接接続することができるので、増設時の接続の手間とラック内の電源ケーブル数の削減が可能となり、利便性が向上する。
【００４６】
（６）４組の背面扉１５の第1の背面扉１５Ａにそれぞれ連結式のバスバー４０Ａ，４０Ｂ，４０Ｃ等が設けられ、バスバー４０Ａ，４０Ｂ，４０Ｃ等は、第1の背面扉１５Ａを閉めることにより、互いに連結する仕組みとなっている。バスバー４０Ａ等の接続部には、前記接続部保持機構（図略）が設けられているので、連結の際の衝撃でバスバー４０Ａ等の接続端子の故障や勘合悪化を引きおこしにくい仕組みとなっており、これにより、接続端子の保護が可能となり、安全性を高めることができる。
【００４７】
以上、上記実施形態を参照して本発明を説明したが、本発明は上記実施形態に限定されるものではない。本発明の構成や詳細については、当業者が理解し得るさまざまな変更を加えることができる。また、本発明には、上記実施形態の構成の一部又は全部を相互に適宜組み合わせたものも含まれる。
【００４８】
例えば、前記実施形態では、電子機器用ラックに収納される電子機器２０〜４はサーバであったが、これに限らず、ケーブルが接続されたユニットを本電子機器用ラック１０内に収納する場合にも適用することができる。
【００４９】
また、前記実施形態では、第１の背面扉１５Ａおよび第２の背面扉１５Ｂからなる背面扉１５を、上下方向に収納された多数の電子機器２０のうち５個の電子機器２０に対応する形状としたが、これに限らず、ラック本体１１の大きさに応じて、５個以上または５個以下に対応する形状、あるいはラック本体１１の背面全体を被える１枚の背面扉としてもよい。
【００５０】
さらに、前記実施形態では、背面扉１５を、第１の背面扉１５Ａおよび第２の背面扉１５Ｂからなる観音開き式の背面扉としたが、これに限らない。片開き形式の１枚の背面扉で形成してもよい。
ただし、この場合、電子機器用ラック１０が配置される場所で、背面側に、片開き形式の１枚の背面扉を開閉できる充分なスペースが必要となるので、前記実施形態のように観音開き形式の背面扉を用いる方が好ましい。
【００５１】
（付記１）
サーバ等の電子機器を多数段にわたって収納するラック本体を備えた電子機器用ラックであって、
前記ラック本体に背面扉を設けると共に当該背面扉に、
前記多数の電子機器に予め装備された各種接続端子を介して外部から電力および信号を送り込むための電源ケーブルおよび通信用ケーブルを設けたことを特徴とする電子機器用ラック。
【００５２】
（付記２）
付記１に記載した電子機器用ラックにおいて、
前記背面扉を第１および第２の背面扉からなる観音開き式の背面扉としたことを特徴とする電子機器用ラック。
【００５３】
（付記３）
付記１または付記２に記載した電子機器用ラックにおいて、
前記第１の背面扉および第２の背面扉を、前記多数段にわたって収納された電子機器のうちの予め設定された段数に対応する大きさの扉とし、
前記第１の背面扉および第２の背面扉を上下に分かれた少なくとも２組設けたことを特徴とする電子機器用ラック。
【００５４】
（付記４）
付記２または付記３に記載した電子機器用ラックにおいて、
前記各組の第１の背面扉または第２の背面扉のうちいずれか一方の背面扉の裏面に、前記電源ケーブルを構成する多数の電源プラグと前記通信ケーブルを構成する多数のコネクタ基板とを上下方向に一定間隔で装備し、これらの各電源プラグおよびコネクタ基板を前記各電子機器に設けられた電源ソケットおよびコネクタとにそれぞれ対応させて配置したことを特徴とする電子機器用ラック。
【００５５】
（付記５）
付記４に記載した電子機器用ラックにおいて、
前記各組のいずれか一方の背面扉の表面に、前記多数の電源プラグに対応して設けられると共に前記電源ケーブルを構成しかつ前記電源プラグに電気を供給するバスバーを設けたことを特徴とする電子機器用ラック。
【００５６】
（付記６）
付記５に記載した電子機器用ラックにおいて、
前記各組のいずれか一方の背面扉に設けられた前記バスバーと、前記一方の背面扉の上方または下方に配置されている他の一方の背面扉にそれぞれ設けられた他のバスバーとは、前記それぞれの一方の背面扉を閉じたとき相互に連結し合いかつ通電可能となっていることを特徴とする電子機器用ラック。
【００５７】
（付記７）
付記５または付記６に記載した電子機器用ラックにおいて、
前記ラック本体の底面部に基部バスバーを固着すると共に、この基部バスバーを前記ラック本体の最下段に配置されている背面扉の前記いずれか一方の背面扉に設けられている前記バスバーと連結可能に構成し、前記基部バスバーに当該基部バスバーに外部電源から電気を供給する接続電源ケーブルを設けたことを特徴とする電子機器用ラック。
【００５８】
（付記８）
付記４ないし付記７のいずれか１に記載した電子機器用ラックにおいて、
前記電源プラグと前記電源ソケットとの係合を、前記いずれか一方の背面扉と一体になって回動移動する前記電源プラグに対して、前記電源ソケットに、少なくとも前記電源プラグの突出接続端子の回動方向先端の側面部および先端部を当接可能に受止める端子受部を形成したことを特徴とする電子機器用ラック。
【産業上の利用可能性】
【００５９】
本願発明は、サーバ等の電子機器を多数段にわたって収容する際に利用できる。
【符号の説明】
【００６０】
１０  電子機器用ラック
１１  ラック本体
１５  観音開き式の背面扉
１５Ａ  第１の背面扉
１５Ｂ  第２の背面扉
２０Ａ，２１Ａ，２２Ａ，２３Ａ，２４Ａ  電源ソケット
２０Ｂ，２１Ｂ，２２Ｂ，２３Ｂ，２４Ｂ  メス型コネクタ
３０Ａ，３１Ａ，３２Ａ，３３Ａ，３４Ａ  電源プラグ
３０Ｂ，３１Ｂ，３２Ｂ，３３Ｂ，３４Ｂ  オス型コネクタ
４０  バスバー
４０Ａ  第１のバスバー
４０Ｂ  第２のバスバー
４０Ｃ  第３のバスバー
４１  基部バスバー
４２  接続電源ケーブル
【図１】
2013235894.tif 000003
【図２】
2013235894.tif 000004
【図３】
2013235894.tif 000005
【図４】
2013235894.tif 000006
【図５】
2013235894.tif 000007
【図６】
2013235894.tif 000008